(57)【要約】【課題】コネクタに対して電線が回転することを規制し、電線がコネクタから脱落することを防ぐ。【解決手段】芯線３ａが被覆材３ｂで覆われた電線３が挿入される挿入口６ａが設けられ被覆材３ｂを支持する筒状の挿入口部６と、この挿入口部６に連通して形成され芯線３ａが電気的に接続される接続部７とを有するハウジング５を備える。また、接続部７に設けられ芯線３ａを押圧する押圧バネ８と、接続部７に設けられ芯線３ａが当接されて電気的に接続される端子部材９とを備える。また、ハウジング５は、端子部材９に電気的に接続された他の電線を介して移動自在に支持されている。そして、挿入口部６内には、被覆材３ｂに当接されて電線３がこの電線３の軸線回りに回転することを規制する回転規制部１１が形成されている。【選択図】図１
2007305480.tif 000002
【特許請求の範囲】
【請求項１】
芯線が被覆材で覆われた電線が挿入される挿入口が設けられ前記被覆材を支持する筒状の挿入口部と、該挿入口部に連通して形成され前記芯線が電気的に接続される接続部とを有するハウジングと、
前記接続部に設けられ前記芯線を押圧する押圧部材と、
前記接続部に設けられ前記芯線が当接されて電気的に接続される端子部材とを備え、
前記ハウジングは、前記端子部材に電気的に接続された他の電線を介して移動自在に支持され、
前記挿入口部内には、前記被覆材に当接されて前記電線が該電線の軸線回りに回転することを規制する回転規制部が形成されていることを特徴とするコネクタ。
【請求項２】
前記回転規制部は、前記挿入口部の周方向に間隔をあけて、前記挿入口部の軸線方向に沿って形成された複数の規制片を有する請求項１に記載のコネクタ。
【請求項３】
前記規制片は、前記挿入口部内に、前記挿入口部の軸線方向に亘って形成されている請求項１または２に記載のコネクタ。
【請求項４】
前記電線は、ビニール絶縁電線である請求項１ないし３のいずれか１項に記載のコネクタ。
【請求項５】
請求項１ないし４のいずれか１項に記載のコネクタを備える電気機器。
【請求項６】
請求項１ないし４のいずれか１項に記載のコネクタを備え、
前記コネクタを介して放電灯に電力が供給される照明器具。
【発明の詳細な説明】
【技術分野】
【０００１】
本発明は、例えばビニール絶縁電線等の電線が挿入されこの電線の芯線を電気的に接続するためのコネクタおよびこのコネクタを備える電気機器、照明器具に関する。
【背景技術】
【０００２】
照明器具等の電気機器には、ビニール絶縁電線等の電線をコネクタに差し込むことで電気的に接続される、いわゆる速結型のコネクタが用いられているものがある。
【０００３】
この種の速結型のコネクタは、電線が挿入されるハウジングが例えば回路基板等の支持部材に固定された固定方式のコネクタとして構成されている。
【０００４】
従来の速結型のコネクタとしては、照明器具の灯具本体にねじで固定されたコネクタに対して電線が挿入される構成が開示されている（例えば、特許文献１参照）。
【０００５】
また、例えば図４および図５に示すように、従来のコネクタ１０１は、芯線１０３ａが被覆材１０３ｂで覆われた電線１０３が挿入されて被覆材１０３ｂを支持する円筒状の挿入口部１０６と、この挿入口部１０６に連通して形成され芯線１０３ａが電気的に接続される接続部１０７とを有するハウジング１０５を備えている。
【０００６】
また、この従来のコネクタ１０１は、芯線１０３ａを押圧する押圧バネ１０８と、芯線１０３ａが当接されて電気的に接続される端子部材１０９とを備えている。また、ハウジング１０５は、端子部材１０９に電気的に接続された他の電線（不図示）を介して移動自在に支持されている。押圧バネ１０８および端子部材１０９は、芯線１０３ａに対向する位置に配置されている。
【０００７】
そして、この従来のコネクタ１０１は、ハウジング１０５の挿入口部１０６から電線１０３が挿入されることで、電線１０３の芯線１０３ａが、接続部１０７の押圧バネ１０８によって保持されるとともに端子部材１０９を介して他の電線に電気的に接続される。
【特許文献１】特開平６−１６３０９２号公報（図１）
【発明の開示】
【発明が解決しようとする課題】
【０００８】
ところで、上述した従来の速結型のコネクタは、電線が電気的に接続された状態で、押圧バネによる押圧力で芯線が保持されることで接続状態が保たれている。
【０００９】
このため、従来の速結型のコネクタは、挿入された電線が軸線回りに回動した場合に、芯線を押圧する押圧バネの押圧力が、芯線の軸線方向に作用し、図６に示すように、コネクタから電線が抜ける方向に働いてしまう傾向があり、電線がコネクタから脱落し易いという不都合がある。
【００１０】
したがって、従来の速結型のコネクタは、ハウジングに挿入される電線が電気的に接続される他の電線を介してハウジングが移動自在に支持された可動方式のコネクタとして使用した場合に、ハウジングの移動に伴って電線が軸線回りに回動したときに電線がコネクタから脱落してしまう問題がある。
【００１１】
すなわち、従来の速結型のコネクタは、可動方式のコネクタとして適用することができず、支持部材に固定する固定方式のコネクタとして使用する必要があり、用途が限定されていた。
【００１２】
このため、従来の可動方式のコネクタでは、電線の芯線を端子部材にかしめによって接合するカシメ構造が採られており、電線を着脱可能とする押圧構造が採られていない。
【００１３】
そこで、本発明は、コネクタに接続された電線がコネクタに対して軸線回りに回転することを規制し、可動方式のコネクタとして使用された場合であっても、電線がコネクタから脱落することを防ぐことができるコネクタを提供することを目的とする。
【課題を解決するための手段】
【００１４】
上述した目的を達成するため、本発明に係るコネクタは、芯線が被覆材で覆われた電線が挿入される挿入口が設けられ被覆材を支持する筒状の挿入口部と、この挿入口部に連通して形成され芯線が電気的に接続される接続部とを有するハウジングを備える。また、このコネクタは、接続部に設けられ芯線を押圧する押圧部材と、接続部に設けられ芯線が当接されて電気的に接続される端子部材とを備える。また、ハウジングは、端子部材に電気的に接続された他の電線を介して移動自在に支持されている。そして、挿入口部内には、被覆材に当接されて電線がこの電線の軸線回りに回転することを規制する回転規制部が形成されている。
【００１５】
以上のように構成した本発明に係るコネクタによれば、挿入口部の挿入口から挿入された電線の芯線が接続部の押圧部材による押圧力で保持されるとともに、芯線が端子部材に当接されることで電気的に接続される。そして、このコネクタは、電線が電気的に接続された状態で、挿入口部の回転規制部が電線の被覆材に当接されていることによって、電線が挿入口部に対してこの電線の軸線回りに回転することが良好に規制されている。したがって、このコネクタによれば、回転規制部によって電線がコネクタに対して軸線回りに回転することが抑えられることで、芯線を押圧する押圧部材による押圧力が、芯線の軸線方向に作用することが抑えられ、押圧部材による押圧力で、芯線が軸線方向に移動されて、電線がコネクタから脱落することが抑えられる。
【００１６】
また、本発明に係る電子機器は、上述した本発明のコネクタを備える。
【００１７】
また、本発明に係る照明器具は、上述した本発明のコネクタを備え、このコネクタを介して放電灯に電力が供給される。
【発明の効果】
【００１８】
上述したように本発明によれば、回転規制手段によって、コネクタに接続された電線が軸線回りに回転することが規制されるので、電線がコネクタから抜けるのを防ぐことができる。したがって、本発明によれば、コネクタに挿入された電線の接続状態の信頼性を向上することができる。
【発明を実施するための最良の形態】
【００１９】
以下、本発明の具体的な実施形態について、図面を参照して説明する。
【００２０】
本実施形態では、図１に示すように、コネクタ１によって電気的に接続される電線３の一例として、芯線３ａが被覆材３ｂで覆われて形成されて、被覆材３ｂがビニールからなる、いわゆるビニール絶縁電線が用いられている。
【００２１】
図１に示すように、本実施形態のコネクタ１は、電線を差し込むことで電気的に接続される、いわゆる速結型のコネクタであって、挿入された電線３の被覆材３ｂを支持する挿入口部６と、電線の芯線が電気的に接続される接続部７とを有するハウジング５を備えている。また、このコネクタ１は、芯線３ａを押圧する押圧部材としての一組の押圧バネ８と、芯線３ａが当接されて電気的に接続される端子部材９とを備えている。
【００２２】
ハウジング５は、樹脂等の絶縁材によって、円筒状の挿入口部６と箱状の接続部７とが一体に形成されている。挿入口部６の一端側には、電線３が挿入される挿入口６ａが設けられている。また、挿入口部６の他端側は、接続部７に連通して形成されている。
【００２３】
接続部７内には、図３に示すように、挿入口部６側から進入した電線３の芯線３ａに対向する位置に、一組の押圧バネ８が対向して配置されている。押圧バネ８は、一端が接続部７の内周部に固定されており、弾性変位可能に設けられた押圧片８ａを有している。押圧バネ８は、接続部７内に芯線３ａが進入することで、芯線３ａの外周面に押圧片８ａが弾性変位して当接される。
【００２４】
また、接続部７内には、芯線３ａの端面に対向する位置に、芯線３ａと電気的に接続される端子部材９が設けられている。この端子部材９には、図示しないが、他の電線の芯線が電気的に接続されており、電線３の芯線３ａが端子部材９を介して他の電線の芯線と電気的に接続される。また、コネクタ１は、端子部材９に電気的に接続された他の電線を介して、ハウジング５が支持部（不図示）に移動自在に支持されている。
【００２５】
また、図２および図３に示すように、ハウジング５の挿入口部６内には、被覆材３ｂの外周面に当接されて電線３がこの電線３の軸線回りに回転することを規制する回転規制部１１が形成されている。
【００２６】
回転規制部１１は、被覆材３ｂの外周面に当接される規制片としての複数の規制リブ１１ａを有している。各規制リブ１１ａは、挿入口部６の周方向に所定の間隔をあけて、挿入口部６の軸線方向に沿って一体に突出して形成されている。また、各規制リブ１１ａは、挿入口部６の内周面に、挿入口部６の軸線方向に亘って設けられており、挿入口部６の内周面から挿入口部６の軸線に向かって放射状に形成されている。
【００２７】
以上のように構成されたコネクタ１について、電線３が挿入されたときに電線３の芯線３ａが電気的に接続される状態を説明する。
【００２８】
コネクタ１は、図３に示すように、挿入口部６の挿入口６ａから電線３が挿入されて、挿入口部６内を通過した電線３の芯線３ａが、接続部７の押圧バネ８の押圧片８ａを弾性変位させることで、芯線３ａが押圧片８ａによって保持される。
【００２９】
また、接続部７に挿入された電線３は、芯線３ａの端面が端子部材９に当接されることで、電線３が端子部材９と電気的に接続され、端子部材９を介して他の電線と電気的に接続される。
【００３０】
そして、コネクタ１は、電線３が接続された状態で、電線３の被覆材３ｂの外周面に、挿入口部６の各規制リブ１１ａがそれぞれ当接され、被覆材３ｂと各規制リブ１１ａとの摩擦抵抗によって、電線３が挿入口部６に対して軸線回りに回転することが規制される。したがって、コネクタ１では、電線３が軸線回りに回転することで押圧バネ８による押圧力が芯線３ａの軸線方向に作用することが抑えられ、押圧バネ８による押圧力によって芯線３ａが接続部７から脱落することが抑えられる。
【００３１】
このため、コネクタ１によれば、他の電線を介して移動自在に支持されているハウジング５が回転した場合であっても、コネクタ１に差し込まれた電線３がハウジング５に対して回転することが良好に規制され、電線３がコネクタ１から脱落することなく、良好な接続状態が保たれる。
【００３２】
上述したように、本実施形態のコネクタ１によれば、ハウジング５の挿入口部６に回転規制部１１が設けられたことによって、複数の規制リブ１１ａが被覆材３ｂの外周面に当接することで、電線３が軸線回りに回転することが抑えられる。このため、このコネクタ１は、ハウジング５が移動自在に支持された、いわゆる可動方式のコネクタとして用いられた場合であっても、他の電線を介して移動自在に支持されているハウジング５が回転したときに、コネクタ１に電気的に接続された電線３がハウジング５に対してこの電線３の軸線回りに回転することが防止され、押圧バネ８による押圧力が芯線３ａの軸線方向に作用して押圧バネ８の押圧力によって芯線３ａが脱落することを防ぐことができる。したがって、このコネクタ１によれば、コネクタ１に差し込まれた電線３の接続状態の信頼性を向上することができる。
【００３３】
また、本実施形態のコネクタ１は、各種電気機器に適用可能であり、例えば、コネクタを介して放電灯に電力を供給する照明器具に用いられて好適である。
【００３４】
なお、上述した実施形態のコネクタ１では、一組の押圧バネ８による押圧力で芯線３ａが保持され、芯線３ａの端面が端子部材９に当接されて電気的に接続される構成が採られたが、例えば、押圧バネによって押圧された芯線が当接される位置に端子部材が配置され、押圧バネによる押圧力で芯線が端子部材に押圧される構成や、押圧バネと端子部材が電気的に接続されている構成や、押圧バネと端子部材が一体に形成される構成が適用されてもよい。
【００３５】
また、本実施形態では、電線としてビニール絶縁電線が用いられたが、他の電線が用いられてもよいことは勿論である。
【図面の簡単な説明】
【００３６】
【図１】本発明に係るコネクタを示す斜視図である。
【図２】前記コネクタを示す正面図である。
【図３】前記コネクタを示す断面図である。
【図４】従来のコネクタを示す断面図である。
【図５】従来のコネクタを示す正面図である。
【図６】従来のコネクタから電線が抜け出る状態を説明するための断面図である。
【符号の説明】
【００３７】
１  コネクタ
３  電線
３ａ  芯線
３ｂ  被覆材
５  ハウジング
６  挿入口部
６ａ  挿入口
７  接続部
８  押圧バネ
８ａ  押圧片
９  端子部材
１１  回転規制部
１１ａ  規制リブ
【図１】
2007305480.tif 000003
【図２】
2007305480.tif 000004
【図３】
2007305480.tif 000005
【図４】
2007305480.tif 000006
【図５】
2007305480.tif 000007
【図６】
2007305480.tif 000008